(57)【要約】【課題】情報信号の送信および受信を所定の機器間でのみ行うことができる伝送システムを提供する。【解決手段】音響情報読出し装置２から増幅装置３に１ビット信号を送信するためには、まず第１制御手段１７から第２制御手段３６に第１信号線４を介して送信告知信号を送信する。この送信告知信号を第２制御手段３６が受信すると、受信を了解することができるとき、送信許可信号を生成して、この信号を第１信号線４を介して第１制御手段３６に送信する。音響情報読出し装置２は、送信許可信号を受信することによって、はじめて１ビット信号を第２信号線５を介して増幅装置３に送信する。このように音響情報読出し装置２および増幅装置３が、相互認証しないと、１ビット信号が送受信されない。【選択図】      図１
2004319009.tif 000002
【特許請求の範囲】
【請求項１】
所定の情報信号を送信することを示す送信告知信号を生成して送信し、送信許可情報を受信することによって前記情報信号を送信する第１機器と、
第１機器から送信される送信告知信号に応答して、この送信告知信号によって認識した情報信号の受信を了解することができるとき、その情報信号を第１機器が送信可能であることを示す送信許可信号を生成して第１機器に送信し、第１機器から送信される情報信号を受信する第２機器と、
第１機器および第２機器の間に設けられ、送信告知信号および送信許可信号を伝送する第１伝送媒体と、
第１機器および第２機器の間に設けられ、情報信号を伝送する第２伝送媒体とを含むことを特徴とする伝送システム。
【請求項２】
前記第１機器は、
電源の状態を検出する電源検出手段と、
電源検出手段によって検出された検出結果に基づいて、電源が異常状態である場合には、第１伝送媒体を介して異常状態であることを示す異常発生信号を送信する異常信号送信手段とを有し、
前記第２機器は、
前記第２伝送媒体と相互に接続され、情報信号が入力される入力部と、
入力部から入力される情報信号を外部に出力する出力部と、
入力部および出力部の間に設けられ、入力部および出力部を切断可能に接続する接続手段と、
第１機器から送信される異常発生信号を受信した場合、接続手段を制御して、入力部から入力される情報信号が出力部から外部に出力される前に、入力部および出力部の間を切断する第２制御手段とを有することを特徴とする請求項１記載の伝送システム。
【請求項３】
前記第１機器は、
電源の状態を検出する電源検出手段と、
電源検出手段によって検出された検出結果に基づいて、電源が異常状態である場合には、情報信号の送信を遮断する信号遮断手段を有することを特徴とする請求項１または２記載の伝送システム。
【請求項４】
前記第１機器は、記録媒体に記録される音響情報信号を読出す音響情報読出し装置であり、
前記第２機器は、増幅装置であり、
前記情報信号は、音響情報信号であって、デルタシグマ変調された１ビット信号によって表されることを特徴とする請求項１〜３のいずれか１つに記載の伝送システム。
【請求項５】
第１伝送媒体および第２伝送媒体を有し、第１機器から第２機器に音響情報信号を伝送する伝送システムにおける音響信号伝送方法であって、第１機器は、第１伝送媒体を介して第１機器に所定の音響情報信号を送信することを示す送信告知信号を送信し、
第２機器は、第１伝送媒体を介して送信告知信号に応答して、送信告知信号によって認識した情報信号の受信を了解することができるとき、その情報信号を第１機器が送信可能であることを示す送信許可信号を第１機器に送信し、
第１機器は、送信許可情報を受信することによって、第２伝送媒体を介して音響情報信号を第２機器に送信することを特徴とする音響信号伝送方法。
【発明の詳細な説明】
【０００１】
【発明の属する技術分野】
本発明は、所定の機器間で所定の情報信号を伝送する伝送システムに関する。
【０００２】
【従来の技術】
所定の機器間で所定の情報信号を伝送する第１の先行技術として、たとえばコンパクトディスク（Ｃｏｍｐａｃｔ  Ｄｉｓｋ：略称ＣＤ）などのディスク状記録媒体に記録される音響情報信号を読出す音響情報読出し装置と、増幅装置とから構成される伝送システムが実用化されている。音響情報読出し装置が起動して、ディスク状記録媒体から音響情報信号を読み出すと、この読み出された音響情報信号は、伝送ケーブルを介して増幅装置に伝送される。つまり音響情報読出し装置は、読み出した音響情報信号をどのような装置に伝送するのかは関係なく音響情報信号を出力し、増幅装置に一方的に音響情報信号を伝送する。したがって、音響情報読出し装置の音響情報信号を出力する出力端子から、音響情報信号を自由に取り出すことができる。
【０００３】
増幅装置にはスピーカが接続され、音響情報信号は増幅装置によって増幅された後、スピーカによって音波に変換される。
【０００４】
前述の伝送システムにおいて、たとえばデルタシグマ変調された１ビット信号であるデジタル信号を音響情報信号として伝送する場合、このデジタル信号が伝送されている途中で、たとえば音響再生装置の電源が突然遮断されると、電源遮断の過程で信号の振幅が減衰して、スピーカから異常音が発生する。
【０００５】
前記異常音が発生する原理を以下に具体的に述べる。１ビット信号が保有するアナログ的な成分は、「１」および「０」によって表されるパルス列の時間軸方向のその幅によって決まる。しかしながら１ビット信号を処理する回路によっては、パルス列の振幅の大きさが、前記アナログ的な成分に関係する。このパルス列を処理する回路の後段が、たとえばフリップフロップのように「１」または「０」をデジタル的に処理する伝送系の回路であれば、信号の振幅成分はアナログ的な成分に特に影響を与えない。しかしながら、前記回路の後段がローパスフィルタおよびＡ／Ｄ（Ａｎａｌｏｇ／Ｄｉｇｉｔａｌ）コンバータなどのように、信号をアナログ的に処理する伝送系の回路であれば、前記振幅成分の大きさがアナログ的な成分に重要な影響を与える。たとえばデジタルアンプがパルス列の振幅方向の電圧値を置き換えることによって増幅を行っているのはこの性質を利用したものである。
【０００６】
前述した伝送システムでは、音響情報信号をスピーカから出力するために信号をアナログ的に処理する伝送系の回路が含まれるので、入力されるパルス列の振幅が変化すると、その変化の仕方によってはスピーカから変調音が発生することとなる。また前記信号をアナログ的に処理する伝送系の回路では、電圧０Ｖを低基準として、１ビット信号のパルス列を処理する回路が多く、このような回路では、アナログ的な成分が「０」の繰り返しパルス列のとき、平均値としてＤＣ（
Ｄｉｒｅｃｔ  Ｃｕｒｒｅｎｔ）的なオフセットが存在する。したがって、このような回路に１ビット信号のパルス列が入力されているときに、急にパルス列が無くなると、ＤＣ的なオフセットが変化し、この変化に応じた異常音がスピーカから発生する。
【０００７】
また伝送ケーブルなどによって受けたノイズの影響を除去するために、増幅装置に波形整形回路を設ける場合、この波形整形回路によって情報信号を再構成する。波形整形回路では、情報信号および情報信号とともに入力されるクロック信号のいずれか一方の振幅が予め定めるしきい値よりも小さくなると、出力そのものが突然なくなる。これによって、たとえば増幅装置に接続されるスピーカから異常音が発生する場合がある。このようにデジタル信号が次第に減衰していく、または突然消滅すると、その波形の変化によって、スピーカから異常音が発生する。
【０００８】
スピーカからの異常音の発生を抑制する第２の先行技術として、コードレス電話機の親機と子機とが通話チャネルで通話中に、一方が終話切断したとき、他方に通話チャネルを通じて制御コマンドが送信され、この制御コマンドが可聴ノイズとなって相手の受話器に生じ、不快感を与えることを防止する伝送システムがある。この伝送システムでは、比較回路で予め保持しているパターンと制御信号のパターンとを比較し、これらが一致していれば、マイクロコンピュータが音声増幅装置を制御して、スピーカから音声が発せられないようにする（たとえば、特許文献１）。
【０００９】
【特許文献１】
特開平６−８５７２８号公報
【００１０】
【発明が解決しようとする課題】
第１の先行技術では、音響情報読出し装置の音響情報信号を出力する出力端子に、音響情報信号を記録する音響記録装置を接続して、音響情報信号を随意にコピーすることができるという問題がある。つまり音響情報などの著作物を、不特定多数の音響記録装置によってコピーすることができるので、著作権が侵害されるおそれがある。
【００１１】
第２の先行技術では、制御コマンドと通話信号とが１つのチャンネルを介して送受信されるものであり、必ず制御コマンドを比較回路によって比較に所定の時間を要する。このため制御コマンドに起因するノイズを、低減することができるが、完全に無くすことができない。
【００１２】
本発明の目的は、所定の情報信号の送信および受信を所定の機器間でのみ行うことができる伝送システムを提供することである。
【００１３】
また本発明の他の目的は、所定の機器間で伝送される信号に起因して発生する異常音を防止することができる伝送システムを提供することである。
【００１４】
【課題を解決するための手段】
本発明は、所定の情報信号を送信することを示す送信告知信号を生成して送信し、送信許可情報を受信することによって前記情報信号を送信する第１機器と、第１機器から送信される送信告知信号に応答して、この送信告知信号によって認識した情報信号の受信を了解することができるとき、その情報信号を第１機器が送信可能であることを示す送信許可信号を生成して第１機器に送信し、第１機器から送信される情報信号を受信する第２機器と、
第１機器および第２機器の間に設けられ、送信告知信号および送信許可信号を伝送する第１伝送媒体と、
第１機器および第２機器の間に設けられ、情報信号を伝送する第２伝送媒体とを含むことを特徴とする伝送システムである。
【００１５】
本発明に従えば、第１機器から第２機器に所定の情報信号を送信するためには、まず第１機器から第２機器に送信告知信号を送信する。この送信告知信号を第２機器が受信すると、受信を了解することができるとき、送信許可信号を生成して、この信号を第１機器に送信する。第１機器は、送信許可信号を受信することによって、はじめて所定の情報信号を第２機器に送信することができる。
【００１６】
つまり第１機器は、送信告知信号を送信しても、第２機器から送信許可信号を受信しなければ、所定の情報信号を送信しない。また第２機器は、情報信号の受信を了解することができなければ、送信許可信号を生成しない。このように、第１機器および第２機器が、相互認証しないと、所定の情報信号が送信されない。したがって所定の機器間でのみ、所定の情報信号の送受信を行うことができる。
【００１７】
また送信告知信号および送信許可情報は、第１伝送媒体によって伝送され、所定の情報は、第２伝送媒体によって伝送されるので、所定の情報信号に送信告知信号および送信許可情報を起因とするノイズが含まれない。したがって、第１機器から第２機器に送信される所定の情報信号が劣化して品質が低下することを防止することができる。
【００１８】
また本発明は、前記第１機器は、
電源の状態を検出する電源検出手段と、
電源検出手段によって検出された検出結果に基づいて、電源が異常状態である場合には、第１伝送媒体を介して異常状態であることを示す異常発生信号を送信する異常信号送信手段とを有し、
前記第２機器は、
前記第２伝送媒体と相互に接続され、情報信号が入力される入力部と、
入力部から入力される情報信号を外部に出力する出力部と、
入力部および出力部の間に設けられ、入力部および出力部を切断可能に接続する接続手段と、
第１機器から送信される異常発生信号を受信した場合、接続手段を制御して、入力部から入力される情報信号が出力部から外部に出力される前に、入力部および出力部の間を切断する第２制御手段とを有することを特徴とする。
【００１９】
本発明に従えば、異常信号伝送手段は、電源が異常状態である場合、第１伝送媒体を介して異常発生信号を第２機器に送信する。電源が異常状態となると、第１機器から伝送される所定の情報信号の振幅が変化して、所定の情報信号とは異なる情報信号に変化してしまう。第２機器の第２制御手段が前記異常発生信号を受信すると、入力部から入力される情報信号が出力部からこの増幅装置の外部に出力される前に、接続手段を制御して入力部と出力部とを切断する。これによって、出力部からは異常状態となった所定の情報信号が出力されることが無い。
【００２０】
また本発明は、前記第１機器は、
電源の状態を検出する電源検出手段と、
電源検出手段によって検出された検出結果に基づいて、電源が異常状態である場合には、情報信号の送信を遮断する信号遮断手段を有することを特徴とする。
【００２１】
本発明に従えば、信号遮断手段は、電源検出手段によって検出された電源の状態に基づいて、電源が異常状態であれば所定の情報信号の送信を遮断する。これによって、異常状態となった所定の情報信号が第２機器に送信されることを防止することができる。
【００２２】
また本発明は、前記第１機器は、記録媒体に記録される音響情報信号を読出す音響情報読出し装置であり、
前記第２機器は、増幅装置であり、
前記情報信号は、音響情報信号であって、デルタシグマ変調された１ビット信号によって表されることを特徴とする。
【００２３】
本発明に従えば、音響信号読出し装置である第１機器から増幅装置である第２の機器に、音響情報信号を送信する前に、送信告知信号および送信許可信号の送受信が行われる。音響信号読出し装置は、送信告知信号を受信し、かつ送信許可信号を送信することができる増幅装置にしか音響情報信号が送信しない。つまり音響信号読出し装置は、相互認証されない機器に対して音響情報信号を出力しない。したがって、たとえば音響情報信号を記録する音響情報記録装置などによって、音響情報信号を記録媒体に自由に記録することを防止することができる。これによって、音響情報などの著作物を不特定多数の音響記録装置によってコピーすることを防止することができ、著作権の侵害を防止することができる。
【００２４】
またたとえば音響再生装置から増幅装置に所定の情報信号が伝送されているときに、音響再生装置の電源が突然遮断されると、第１機器から送信されるデルタシグマ変調された１ビット信号は、電源遮断の過程で振幅が減衰あるいは突然消滅して異常状態となる。このような状態となると、増幅装置が異常発生信号を受信し、外部に異常状態となった１ビット信号を増幅して出力することが防止される。したがって、たとえば増幅装置の出力部にスピーカなどを接続している場合に、前記スピーカから異常音が発せられることを防止することができる。
【００２５】
また本発明は、第１伝送媒体および第２伝送媒体を有し、第１機器から第２機器に音響情報信号を伝送する伝送システムにおける音響信号伝送方法であって、第１機器は、第１伝送媒体を介して第１機器に所定の音響情報信号を送信することを示す送信告知信号を送信し、
第２機器は、第１伝送媒体を介して送信告知信号に応答して、送信告知信号によって認識した情報信号の受信を了解することができるとき、その情報信号を第１機器が送信可能であることを示す送信許可信号を第１機器に送信し、
第１機器は、送信許可情報を受信することによって、第２伝送媒体を介して音響情報信号を第２機器に送信することを特徴とする音響信号伝送方法である。
【００２６】
本発明に従えば、第１機器から第２機器に音響情報信号を送信するためには、まず第１機器から第２機器に送信告知信号を送信する。この送信告知信号を第２機器が受信すると、受信を了解することができるとき、送信許可信号を生成して、この信号を第１機器に送信する。第１機器は、送信許可信号を受信することによって、はじめて音響情報信号を第２機器に送信する。
【００２７】
つまり第１機器は、送信告知信号を送信しても、第２機器から送信許可信号を受信しなければ、音響情報信号を送信しない。また第２機器は、情報信号の受信を了解することができなければ、送信許可信号を生成しない。このように、第１機器および第２機器が、相互認証しないと、音響情報信号が送信されない。したがって所定の機器間でのみ、音響情報信号の送受信を行うことができる。
【００２８】
また送信告知信号および送信許可情報は、第１伝送媒体によって伝送され、所定の情報は、第２伝送媒体によって伝送されるので、音響情報信号に送信告知信号および送信許可情報を起因とするノイズが含まれない。したがって、第１機器から第２機器に送信される音響情報信号の品質が低下することを防止することができる。
【００２９】
【発明の実施の形態】
図１は、本発明の実施の一形態である伝送システム１を示すブロック図である。伝送システム１は、音響再生システムであって、第１機器である音響情報読出し装置２と、第２機器である増幅装置３と、第１伝送媒体である第１信号線４と、第２伝送媒体である第２信号線５と、スピーカ６とを含む。本実施の形態において接続とは、少なくとも電気的な接続を意味する。
【００３０】
音響情報読出し装置２は、記録媒体読出しユニット１１と、１ビット抽出変換部１２と、読出し側外部信号入力部１３と、読出し側１ビット信号変換部１４と、読出し側入力切替部１５と、１ビット信号出力部１６と、第１制御手段１７と、１ビット信号外部出力部１８と、制御スイッチ１９と、読出し側信号入出力部２１と、電源コード２２と、電源スイッチ２３と、メインレギュレータ部２４と、電圧検出および制御部２５と、サブレギュレータ部２６と、コンデンサ２７とを含む。
【００３１】
記録媒体読出しユニット１１は、たとえばコンパクトディスク（Ｃｏｍｐａｃｔ  Ｄｉｓｋ：略称ＣＤ）およびスーパーオーディオＣＤ（Ｓｕｐｅｒ  Ａｕｄｉｏ  ＣＤ：略称ＳＡＣＤ）などのディスク状記録媒体に記録された音響情報信号を読出す。記録媒体読出しユニット１１は、前記ディスク状記録媒体に記録された音響情報信号を光学的に読み出す光ピックアップ装置を有する。
【００３２】
１ビット抽出変換器１２は、記録媒体読出しユニット１２と相互に接続される。１ビット抽出変換器１２は、記録媒体読出しユニット１２が読み出した音響情報信号がデルタシグマ変調された１ビット信号で表される場合には、この１ビット信号をそのまま出力する。また１ビット抽出変換器１２は、ディスク状記録媒体１２が読み出した音響情報信号が、デルタシグマ変調された１ビット信号で表されていない場合には、この音響情報信号をデルタシグマ変調し、１ビット信号に変換して出力する。
【００３３】
デルタシグマ変調では、１ビットのコンバータと積分器を組み合わせた回路によって、アナログ信号を積分器にかけ、その出力をコンバータでデジタル信号のビットストリームに変換していく。このデジタル信号のビットストリームが１ビット信号である。このときコンバータによって変換されたデジタル信号をアナログ信号に変換して、前記積分器にフィードバックする。これによって積分器には、アナログ信号と、コンバータによって出力された先行する信号との誤差が入力されることになる。したがって最終的には、この誤差が常に最小になるような１ビット信号が生成される。
【００３４】
読出し側外部信号入力部１３は、音響情報読出し装置２の外部からこの音響情報読出し装置２に、所定の信号を入力するためのインタフェースである。前記所定の信号は、たとえば音響情報信号を表すアナログ信号である。
【００３５】
読出し側１ビット信号変換部１４は、読出し側外部信号入力部１３と相互に接続され、前記読出し側外部信号入力部１３からの所定の信号をデルタシグマ変調し、１ビット信号に変換して出力する。
【００３６】
読出し側入力切替部１５は、１ビット抽出変換部１２および読出し側１ビット信号変換部１４を、１ビット信号出力部１６に選択的に接続する。読出し側入力切替部１５は、２つの入力端子と、１つの出力端子とを有する。前記２つの入力端子の一方は、１ビット抽出変換部１２の出力側と相互に接続され、他方は、読出し側１ビット信号変換部１４の出力側と相互に接続される。前記出力端子は、１ビット信号出力部１６と相互に接続される。読出し側入力切替手段１５による接続の選択は、たとえば操作者が手動で行う。
【００３７】
１ビット信号出力部１６は、読出し側入力切替部１５からの１ビット信号を入力して、この１ビット信号を第１制御手段１７による制御に基づいて、１ビット信号外部出力部１８に出力する。
【００３８】
図２は、１ビット信号出力部１６から出力される１ビット信号およびクロック信号を示す波形図である。図２に示す１ビット信号およびクロック信号において、横軸は時間を表し、縦軸は振幅を表す。１ビット信号出力部１６は、１ビット信号と、この１ビット信号に対応し、１ビット信号における１ビットの間隔ｔ１を規定するクロック信号とを同時に出力する。
【００３９】
１ビット信号外部出力部１８は、音響情報読出し装置２の外部に１ビット信号を出力するためのインタフェースである。１ビット信号外部出力部１８は、第２信号線５の一端部と相互に接続される。１ビット信号外部出力部１８は、１ビット信号出力部１６からの１ビット信号およびクロック信号を、第２信号線５に出力する。
【００４０】
第１制御手段１７は、１ビット信号出力部１６を制御して、所定の情報信号である１ビット信号を１ビット信号出力部１６に出力させる。また第１制御手段１７は、前記１ビット信号を送信することを示す送信告知信号を生成して、制御スイッチ１９および読出し側信号入出力部２１を介して送信する。また第１制御手段１７は、増幅装置３から送信許可信号を受信する。第１制御手段１７の詳細な処理動作については後述する。第１制御手段１７は、制御スイッチ１９を介して読出し側信号入出力部２１に接続される。第１制御手段１７は、たとえばマイコンによって実現される。
【００４１】
また第１制御手段１７は、制御スイッチ１９を介して、通信を許可するためのストローブ信号およびクロック信号を送信する。
【００４２】
また第１制御手段１７は、送信告知信号および送信許可信号の送受信が行われていない状態では、予め定める一定の信号レベルに維持された定常信号を制御スイッチ１９および読出し側信号入出力部２１を介して送信する。
【００４３】
制御スイッチ１９は、たとえばゲート素子およびリレーなどによって実現される。制御スイッチ１９は、電圧検出および制御部２５によって制御される。たとえば制御スイッチ１９が、アンド（ＡＮＤ）ゲートおよびナンド（ＮＡＮＤ）ゲートなどのゲート素子によって実現される場合、前記ゲート素子は２入力条件であるので、一方の入力端に第１制御手段１７からの信号を、他方の入力端に、後述する電圧検出および制御部２５からの制御信号を入力する。
【００４４】
またたとえば、制御スイッチ１９が、リレーによって実現される場合、電圧検出および制御部２５からの制御スイッチ１９を導通（ＯＮ）または非導通（ＯＦＦ）とするための入力端子に、後述する電圧検出および制御部２５からの制御信号を入力する。制御スイッチ１９をリレーによって実現する場合は、スイッチが開放となるので、第１信号線４に電位確定用のプルダウン抵抗を接続する。
【００４５】
読出し側信号入出力部２１は、音響情報読出し装置２から外部に所定の信号を送信し、外部から所定の信号を受信するためのインタフェースである。読出し側信号入出力部２１は、第１信号線４の一端部と相互に接続される。
【００４６】
電源コード２２は、電源スイッチ２３を介してメインレギュレータ部２４に接続される。電源コード２２の一端部にはプラグが設けられ、このプラグが商用交流電源のコンセントと相互に接続される。電源スイッチ２３は、電源コード２２とメインレギュレータ部２４とを接続または切断する。電源スイッチ２３の接点を閉じることによって、メインレギュレータ部２４に電力が供給される。電源スイッチ２３のスイッチング動作は、操作者によって行われる。
【００４７】
メインレギュレータ部２４は、電源コード２２および電源スイッチ２３を介して供給される商用交流電源の電圧を所定の電圧に変換し、その後直流電圧に整流して出力する。メインレギュレータ部２４は、たとえばスイッチングレギュレータによって実現される。メインレギュレータ部２４の入力端は、電源スイッチ２３と相互に接続される。
【００４８】
電圧検出および制御部２５は、メインレギュレータ部２４の出力端と相互に接続され、電源の状態、具体的にはメインレギュレータ部２４によって変換された電圧を検出する。そして、電圧検出および制御部２５は、検出した電圧値から、電源が異常状態であるか否かを判断し、異常状態であると判断した場合には、制御スイッチ１９に制御信号を与えて制御スイッチ１９を制御して、信号入出力部２１から異常発生信号を送信する。
【００４９】
電圧検出および制御部２５は、たとえばＡ／Ｄコンバータ内臓マイコンまたはコンパレータとマイコンとの組み合わせた回路などによって実現される。電圧検出手段２５が電圧を検出する前記検出位置としては、時定数をあまり持たず、電源が切れたときに、可及的短時間で反応するところが選ばれる。
【００５０】
電圧検出および制御部２５の詳細な処理動作は後述する。前記電圧検出および制御部２５と、制御スイッチ１９と、第１制御手段１７とによって、異常信号伝送手段が構成される。
【００５１】
サブレギュレータ部２６は、複数のレギュレータを含む。サブレギュレータ部２６は、メインレギュレータ部２４に接続され、メインレギュレータ部２４によって変換された電圧を所定の電圧に変換する。サブレギュレータ部２６は、音響情報読出し装置２の各部、たとえば１ビット抽出変換部１２、読出し側１ビット信号変換部１４、１ビット信号出力部１６および第１制御手段１７に電力を供給する。
【００５２】
メインレギュレータ部２４の出力端と、サブレギュレータ部２６の入力端との間には、コンデンサ２７の一端部が相互に接続される。コンデンサ２７の他端部は接地される。これによって、たとえば電源スイッチ２３の接点が開放され、メインレギュレータ部２４に電力が供給されなくなっても、サブレギュレータ部２６に入力される電圧の急激な降下を防止することができる。したがって、急激な電圧変化によってサブレギュレータ部２６および音響情報読出し装置２の各部が故障することを防止することができる。
【００５３】
増幅装置３は、１ビット信号入力部３１と、増幅側外部信号入力部３２と、増幅側１ビット信号変換部３３と、増幅側入力切替部３４と、波形整形手段３５と、第２制御手段３６と、ボリューム調整手段３７と、１ビット増幅部３８と、ミュート用出力制御素子３９と、増幅側外部出力部４１と、増幅側信号入出力部４２とを含む。
【００５４】
１ビット信号入力部３１は、増幅装置３の外部から１ビット信号およびクロック信号を入力するためのインタフェースである。１ビット信号入力部３１は、第２信号線５の他端部と相互に接続される。
【００５５】
増幅側外部信号入力部３２は、増幅装置３の外部から所定の信号を入力するためのインタフェースである。前記所定の信号は、たとえば所定の情報を示すアナログ信号である。
【００５６】
増幅側１ビット信号変換部３３は、前述した読出し側１ビット信号変換部１４と同様の構成である。増幅側１ビット信号変換部３３は、前記増幅側信号入力部３２から入力される所定の信号をデルタシグマ変調して１ビット信号に変換して出力する。
【００５７】
増幅側入力切替部３４は、１ビット信号入力部３１および増幅側１ビット信号変換部３３を、波形整形手段３５に選択的に接続する。増幅側入力切替手段３４による接続の選択は、第２制御手段３６によって行われる。
【００５８】
増幅側入力切替部３４は、たとえばマルチプレクサおよびゲート素子の組合わせ回路などによって実現される。
【００５９】
図３は、増幅側入力切換部３４の構成の一例を示すブロック図である。図３に示す増幅側入力切替部３４は、マルチプレクサ６１によって実現される。マルチプレクサ６１には、入力端子Ａ０，Ａ１，Ｂ０，Ｂ１、出力端子ＯＵＴ１，ＯＵＴ２および切換入力端子ＳＥＬＥＣＴが設けられる。マルチプレクサ６１は、切換入力端子ＳＥＬＥＣＴに第２制御手段３６からハイ（Ｈ）レベルの信号またはロー（Ｌ）レベルの信号を与えることによって、入力端子Ａ０およびＡ１を出力端子ＯＵＴ１およびＯＵＴ２にそれぞれ接続する、または入力端子Ｂ０およびＢ１を出力端子ＯＵＴ１およびＯＵＴ２にそれぞれ接続する。
【００６０】
前記入力端子Ａ０，Ａ１は、１ビット信号入力部３１の出力側と相互に接続され、たとえば入力端子Ａ０には１ビット信号が与えられ、入力端子Ａ１にはクロック信号が与えられる。また入力端子Ｂ０，Ｂ１は、増幅側１ビット信号変換部３３の出力側と相互に接続され、たとえば入力端子Ｂ０には１ビット信号が与えられ、入力端子Ｂ１にはクロック信号が与えられる。前記出力端子ＯＵＴ１，ＯＵＴ２は、波形整形手段３５と相互に接続される。
【００６１】
図４は、増幅側入力切替部３４の構成の他の例を示すブロック図である。図４に示す増幅側入力切替部３４は、ゲート素子、つまり論理ゲートの組合わせ回路７１によって実現される。増幅側入力切替部３４は、第１〜第４のアンド（ＡＮＤ）ゲート７２〜７５と、第１および第２のオア（ＯＲ）ゲート７６，７７と、インバータ７８とを含んで構成される。第１および第３のアンドゲート７２，７４の一方の入力端子Ａ０，Ａ１は、１ビット信号入力部３１の出力側と相互に接続される。たとえば入力端子Ａ０には１ビット信号が与えられ、入力端子Ａ１にはクロック信号が与えられる。第１および第３のアンドゲート７２，７４の他方の入力端子は相互に接続され、切換入力端子ＳＥＬＥＣＴを介して第２制御手段３６に接続される。
【００６２】
第２および第４のアンドゲート７３，７５の一方の入力端子Ｂ０，Ｂ１は、増幅側１ビット信号変換部３３の出力側と相互に接続される。たとえば入力端子Ｂ０には１ビット信号が与えられ、入力端子Ｂ１にはクロック信号が与えられる。第１および第３のアンドゲート７２，７４の他方の入力端子は相互に接続され、インバータ７８の出力端に接続される。インバータ７８の入力端は、前記切換入力端子ＳＥＬＥＣＴを介して第２制御手段３６に接続される。
【００６３】
第１および第２のアンドゲート７２，７３の出力端は、第１のオアゲート７６の入力端にそれぞれ接続される。第３および第４のアンドゲート７４，７５の出力端は、第２のオアゲート７７の入力端にそれぞれ接続される。第１のオアゲート７６の出力端ＯＵＴ０および第２のオアゲート７７の出力端ＯＵＴ１は、波形整形手段３５と相互に接続される。
【００６４】
前記切換入力端子ＳＥＬＥＣＴに第２制御手段３６からハイ（Ｈ）レベルの信号またはロー（Ｌ）レベルの信号を与えることによって、入力端子Ａ０およびＡ１を出力端子ＯＵＴ１およびＯＵＴ２にそれぞれ接続する、または入力端子Ｂ０およびＢ１を出力端子ＯＵＴ１およびＯＵＴ２にそれぞれ接続する。
【００６５】
波形整形手段３５は、増幅側入力切替部３４からの１ビット信号を入力し、この１ビット信号の波形を整えて出力する。
【００６６】
図５は、波形整形手段３５を示す図である。波形整形手段３５は、Ｄフリップフロップによって実現される。ＤフリップフロップのＤ端子３５Ａには、１ビット信号が入力され、ＣＫ端子３５Ｂには、クロック信号が入力される。これによって、１ビット信号の波形は、クロック信号に基づいて整形され、ＤフリップフロップのＱ端子３５Ｃから、整形された１ビット信号が出力される。
【００６７】
波形整形手段３５では、入力される１ビット信号およびクロック信号の波高値Ａ１が予め定めるしきい値Ａ２よりも大きければ、第２信号線５などの信号系統によって受けるノイズ影響を完全に抑圧することができる。これによって、波形整形手段３５から出力される１ビット信号は、１ビット信号出力部１６から出力される１ビット信号と同一の信号に整形することができる。
【００６８】
前記予め定めるしきい値Ａ２は、波形整流手段３５の入力しきい値によって決定される。したがって、予め定めるしいき値Ａ２は、波形整形手段３５を構成する素子によって決定される。たとえば波形整形手段３５をＣＭＯＳ（
Ｃｏｎｔｅｍｐｏｒａｒｙ  Ｍｅｔａｌ  Ｏｘｉｄｅ  Ｓｅｍｉｃｏｎｄｕｃｔｏｒ）素子によって構成する場合では、予め定めるしきい値Ａ２は、約０．７×（このＣＭＯＳ素子への供給電圧）である。またたとえば、波形整形手段３５をＴＴＬ（Ｔｒａｎｓｉｓｔｏｒ  Ｔｒａｎｓｉｓｔｏｒ  Ｌｏｇｉｃ）素子によって構成する場合では、予め定めるしきい値は、約０．４×（このＴＴＬ素子への供給電圧）である。しかしながら、個々の素子によってしきい値が変動するので、前述した各式によって求められる値にマージンをとって予め定めるしきい値Ａ２を設定する。
【００６９】
ボリューム調整手段３７は、音量調整手段である。ボリューム調整手段３７の入力端は、波形整形手段３５の出力端と相互に接続される。ボリューム調整手段３７は、可変抵抗を有し、この抵抗値を変化させることによって、後述するスピーカ６から出力される音量を調整することができる。このボリューム調整手段３７による音量の調整は、操作者によって行われる。
【００７０】
１ビット増幅部３８は、ボリューム調整手段３７から出力される１ビット信号を入力し、この１ビット信号を電力増幅する。また１ビット増幅部３８は、ローパスフィルタを含み、１ビット信号をアナログ信号に変換して出力する。
【００７１】
ミュート用出力制御素子３９は、アナログ信号の伝達が可能なスイッチング素子、たとえばリレーによって実現される。ミュート用出力制御素子３９は、１ビット増幅部３８の出力端と、増幅側外部出力部４１とを切断可能に接続する。ミュート用出力制御素子３９は、第２制御手段３６によって制御されて、その接点を開閉する。
【００７２】
増幅側外部出力部４１は、１ビット増幅部３８によって電力増幅された１ビット信号を外部に出力するためのインタフェースである。増幅側外部出力部４１は、前記ミュート用出力制御素子３９と相互に接続される。前記増幅側入力切替部３４およびミュート用出力制御素子３９が、入力部である１ビット信号入力部３１と出力部である増幅側外部出力部４１とを切断可能に接続する接続手段である。
【００７３】
第２制御手段３６は、増幅側入力切替部３４およびミュート用出力制御素子３９を制御して、１ビット信号入力部３１と増幅側外部出力部４１と切断または接続する。第２制御手段３６は、送信告知信号に応答して、この送信告知信号によって認識した情報信号の受信を了解することができるとき、１ビット信号を音響情報読出し装置２が送信可能であることを示す送信許可信号を生成して、音響情報読出し装置２に送信する。第２制御手段３６は、たとえばマイコンによって実現される。
【００７４】
また第２制御手段３６は、異常発生信号を受信したときに、増幅側入力切替部３４およびミュート用出力制御素子３９を制御して、１ビット信号入力部３１と増幅側外部出力部４１とを切断する。第２制御手段３６の詳細な処理動作については後述する。第２制御手段３６は、増幅側信号入出力部４２と相互に接続される。
【００７５】
増幅側信号入出力部４２は、増幅装置３の外部に第２制御手段３６から送信される所定の信号を送信し、外部から所定の信号を受信するためのインタフェースである。増幅側信号入出力部４２は、第１信号線４の他端部と相互に接続される。
【００７６】
増幅装置３には、図示しない電源スイッチ、電源コードおよびレギュレータが設けられる。電源コードをコンセントに接続し、この電源スイッチの接点を閉じることによって、たとえば増幅側１ビット信号変換部３３、波形成形回路３５、第２制御手段３６および１ビット増幅部３８には、電源コード、電源スイッチおよびレギュレータを介して、電力が供給される。
【００７７】
第１信号線４は、音響情報読出し装置２および増幅装置３の間に設けられ、送信告知信号、送信許可信号および異常発生信号を伝送する。第１信号線４は、たとえば金属ケーブルによって実現される。
【００７８】
本実施の形態では第１信号線４は、前述したストローブ信号を伝送する第１Ａ信号線と、クロック信号を伝送する第１Ｂ信号線と、音響情報読出し装置２からの送信許可信号および異常発生信号を伝送する第１Ｃ信号線と、増幅装置３からの送信許可信号を伝送する第１Ｄ信号線とを含んで構成される。
【００７９】
送信告知信号、送信許可信号および異常発生信号の送受信が行われていない状態では、第１制御手段１７から第２制御手段３６に、予め定める一定の信号レベルに維持された定常信号が送信されている。第１制御手段１７および第２制御手段３６との間では、前記定常信号の波高値を変化させることによって、送信告知信号、送信許可信号および異常発生信号の送信または受信が行われる。
【００８０】
第２信号線５は、音響情報読出し装置２および増幅装置３との間に設けられ、１ビット信号を伝送する。第２信号線５は、たとえば金属ケーブルによって実現される。第２信号線５は、複数の信号線を含んで構成される。本実施の形態では、第２信号線５は、前述した１ビット信号を伝送する信号線と、クロック信号を伝送する信号線との２つの信号線を含む。
【００８１】
本発明の実施の形態では、第２信号線５は、１ビット信号を伝送する信号線を複数含んでいてもよい。
【００８２】
スピーカ６は、増幅側外部出力部４１と相互に接続され、音響情報信号である１ビット信号を音波に変換して出力する。
【００８３】
図６は、音響情報読出し装置２から増幅装置３に１ビット信号を送信するときの第１制御手段１７の動作を示すフローチャートである。
【００８４】
音響情報読出しユニット１１によるディスク状記録媒体の音響情報信号の読み取りが開始されると、ステップＡ０からステップＡ１に移り、動作が開始される。ステップＡ１では、所定の情報信号を送信することを示す送信告知信号を生成して、ステップＡ２に移る。前記送信告知信号は、予め取り決められるデータを含んで構成される。前記予め取り決められるデータは、たとえば「１００１１００１」で表される。
【００８５】
ステップＡ２では、増幅装置３にストローブ信号、送信告知信号およびクロック信号を送信して、ステップＡ３に移る。第１制御手段１７から送信されたストローブ信号、送信告知信号およびクロック信号は、制御スイッチ１９、読出し側信号入出力部２１および第１信号線４を介して、増幅装置３に伝送される。
【００８６】
ステップＡ３では、送信許可信号を受信したか否かを判断する。ステップＡ３で、送信許可信号を受信したと判断した場合には、ステップＡ４に移る。一方ステップＡ３で、送信許可信号を受信していないと判断した場合には、所定の時間をあけてステップＡ３を繰返す。
【００８７】
前記送信許可信号は、予め取り決められるデータを含んで構成される。前記予め取り決められるデータは、たとえば前記送信告知信号の各ビットデータを反転させた「１００１１００１」で表される。第１制御手段１７は、受信したデータが前記予め取り決められるデータと一致するか否かを判断する。
【００８８】
ステップＡ４では、１ビット信号出力部１６を制御して、この１ビット出力制御部１６から１ビット信号外部出力部１８に１ビット信号を出力させて、ステップＡ５に移り動作を終了する。これによって、１ビット信号出力部１６から１ビット信号が出力され、１ビット信号外部出力部１８および第２信号線５を介して増幅装置３に１ビット信号が伝送される。図６に示すフローチャートは、電源スイッチ２３の接点を開放することによって、終了させることができる。
【００８９】
図７は、電圧検出および制御部２５の動作を示すフローチャートである。電源スイッチ２３の接点を閉じると、ステップＢ０からステップＢ１に移る。ステップＢ１では、メインレギュレータ部２４が出力する電圧を検出して、ステップＢ２に移る。ステップＢ２では、電源が異常状態、つまり電圧が異常情報であるか否かを判断する。具体的には、前記ステップＢ１で検出した電圧値が、予め定める電圧値以上であるか否かを判断する。ステップＢ１で、電圧が異常状態である、つまり予め定める電圧値より小さいと判断した場合には、ステップＢ３に移る。一方ステップＢ２で、電圧が異常状態ではないと判断した場合、つまり予め定める電圧値以上であると判断した場合には、ステップＢ１に移る。
【００９０】
前記予め定める電圧値は、電源からの電力の供給が遮断されて、どれくらいの時間が経過した後にスピーカ６から異常音が発生するか、またそのときに音響情報読出し装置２から増幅装置３に第１信号線４を介して伝送される各信号、および第２信号線５を介して伝送される１ビット信号の減衰のしかた、各信号を伝送する回路素子に電源回路から供給される電圧の減衰のしかた、電圧検出および制御手段２５の制御時間、増幅装置３の応答時間などから求める。予め定める電圧値は、たとえば短時間の電源変動で過応答にならないよう諸々の条件を総合的にマッチするように決定される。
【００９１】
ステップＢ３では、制御スイッチ１９を制御する。たとえば制御スイッチ１９が、アンド（ＡＮＤ）ゲートおよびナンド（ＮＡＮＤ）などの論理ゲート素子によって実現される場合、前記論理ゲート素子は２入力条件であるので、一方の入力端に第１制御手段１７からの信号を、他方の入力端に電圧検出および制御部２５からの制御スイッチ１９を制御する制御信号を、条件信号として入力する。
【００９２】
またたとえば、制御スイッチ１９が、リレーによって実現される場合、電圧検出および制御部２５からの制御スイッチ１９を制御する制御信号をリレー切替信号として用い、制御スイッチ１９を制御する。
【００９３】
これによって、異常発生信号を読出し側信号入出力部２１および第１信号線４を介して、増幅装置３に送信して、動作を終了する。
【００９４】
電源スイッチ２３の接点を閉じると、第１制御手段１７は前述した定常信号を送出する。ステップＢ３において電圧検出および制御部２５は、制御スイッチ１９を制御して、定常信号を第２制御手段３６との間で取り決めた時間ｔ２以上変化させる。これによって、異常発生信号が送信される。
【００９５】
つまり電圧検出および制御部２５が、制御スイッチ１９を制御することによって、第１制御手段１７から送信される定常信号とは異なる信号である異常発生信号が第２制御手段３６に送信される。前記第２制御手段３６との間で取り決められた時間ｔ２は、通信途上変化することによって起こり得る定常信号から変化した状態の時間、つまり送信告知信号および送信許可信号が送信されるときに定常信号からその波高値が変化する時間よりも十分に長く設定されている。
【００９６】
電圧検出および制御部２５は、音響情報読出し装置２が何らかの理由によって電源から切断され、音響情報読出し装置２の各部に供給される電圧の変化によって、１ビット信号またはクロック信号の振幅値が次第に小さくなる場合に、スピーカ６に異常状態の音響情報信号が出力されて、スピーカ６から異常音が発生されないような時間制御を行う。これは、電圧の異常が発生したときに電圧検出および制御部２５が電圧を検出して、この検出結果を判断して、異常発生信号を送信するまでの検出応答時間ｔ３と、各部１ビット信号送出関係各部、つまり１ビット抽出変換部１２、読出し側１ビット信号変換部１４、１ビット信号制御出力部１６に電力を供給するサブレギュレータ部２６の電圧減衰時間ｔ４と、第２制御手段３６が異常発生信号を受信して、異常発生信号を受信したと判断するまでの応答時間ｔ５とは、トータルで時定数管理することによって実現することができる。
【００９７】
スピーカ６から異常音を発生させないためには、前記検出応答時間ｔ３および応答時間ｔ５は、可及的短くし、電圧減衰時間ｔ４を可及的長くする。これらの関係は、以下の式（１）によって表される。
（ｔ３＋ｔ５）＜ｔ４                                    …（１）
【００９８】
音響情報読出し装置２が何らかの理由によって電源から切断されると、まずメインレギュレータ部２４の電圧が減衰し、各サブレギュレータ部２６に供給できない電圧になった時点から各サブレギュレータ部２６の電圧が減衰し始める。前記式（１）に示すような時定数を達成するために、１ビット信号の伝送に関係する回路と、電圧検出および制御部２５に供給するサブレギュレータとは、供給される電圧の減衰が遅くなるように、他の回路との電源の共用化を避ける。また必要に応じて前記サブレギュレータに電解コンデンサなどを併設することによって、電源を増強してもよい。このような構成によって、不用意に電源が切れたときに、スピーカ６から異常音が発生を確実に防止することができる。
【００９９】
第１信号線４が、複数の信号線によって構成される場合、異常発生信号の伝送は、複数の信号線のうちのいずれか１つまたは複数の線によって行われる。
【０１００】
図８は、第２制御手段３６の動作を示すフローチャートである。増幅装置３の電源スイッチの接点を閉じると、ステップＣ０からステップＣ１に移る。ステップＣ１では、送信告知信号を受信したか否かを判断する。ステップＣ１で、送信告知信号を受信したと判断した場合、ステップＣ２に移る。一方ステップＣ１で、送信告知信号を受信していないと判断した場合、所定の時間をあけてステップＣ１を繰返す。
【０１０１】
ステップＣ２では、送信告知信号によって認識した情報信号の受信を了解することができるか否かを判断する。前述したように送信許可信号は、予め取り決められるデータを含んで構成され、第２制御手段３６は、受信したデータが前記予め取り決められるデータと一致するか否かを判断する。
【０１０２】
ステップＣ２において、受信を了解することができると判断した場合には、ステップＣ３に移る。一方ステップＣ２において、受信を了解することができないと判断した場合には、所定の時間をあけてステップＣ２を繰返す。
【０１０３】
ステップＣ３では、音響情報読出し装置２が所定の情報信号を送信可能であることを示す送信許可信号を生成して、ステップＣ４に移る。送信許可信号は、前述したように、前述したように予め定めるデータを含んで構成され、たとえば送信告知信号の各ビットデータを反転させたデータによって実現される。
【０１０４】
ステップＣ４では、送信許可信号を送信して、ステップＣ５に移る。第２制御手段３６から送信された送信許可信号は、増幅側信号入出力部４２および第１信号線４を介して、音響情報読出し装置２に伝送される。
【０１０５】
ステップＣ５では、入力切替部３４を制御して、１ビット信号入力部３１と波形整形手段３５とを接続するとともに、ミュート用出力制御素子３９に所定の制御信号を送出して、ステップＣ６に移る。これによって１ビット信号入力部３１と増幅側外部出力部４１とが、増幅側入力切替部３４と、波形整形手段３５と、ボリューム調整手段３７と、１ビット増幅部３８と、ミュート用出力制御素子３９とを介して接続される。
【０１０６】
第２制御手段３６は、予め定める信号、たとえばＨ（ハイ）レベルの信号またはＬ（ロー）レベルの信号を入力切替部３４およびミュート用出力制御素子３９に送出して、これらを制御する。
【０１０７】
ステップＣ６では、異常発生信号を受信したか否かを判断する。ステップＣ６で、異常発生信号を受信したと判断した場合には、ステップＣ７に移り、異常発生信号を受信していないと判断した場合には、予め定める時間をあけてステップＣ６を繰返す。
【０１０８】
ステップＣ７では、入力切替部３４を制御して、１ビット信号入力部３１と波形整形手段３５とを切断するとともに、ミュート用出力制御素子３９を制御し、１ビット信号入力部３１と増幅側外部出力部４１とを切断して、ステップＣ８に進み、動作を終了する。図７に示すフローチャートは、増幅装置３の電源スイッチの接点を開放することによって、終了させることができる。
【０１０９】
また本発明の実施のさらに他の形態において、前述したステップＣ７では、ミュート用出力制御素子３９を制御して、１ビット増幅部３８と増幅側外部出力部４１とを切断し、その後、増幅側入力切替部３４を制御して１ビット信号入力部３１と波形整形手段３５とを切断する。増幅側外部出力部４１に近いミュート用出力制御素子３９を先に切断することによって、スピーカ６からの異常音の発生を確実に防止することができる。
【０１１０】
図９は、音響情報読出し装置２および増幅装置３が、送信告知信号および送信許可信号を送受信するときの通信フォーマットの一例を示す図である。図９には、第１Ａ信号線によって伝送されるストローブ信号と、第１Ｂ信号線によって伝送されるクロック信号と、第１Ｃ信号線によって伝送される音響情報読出し装置２からのデータ信号である送信告知信号と、第１Ｄ信号線によって伝送される増幅装置３からのデータ信号である送信許可信号を示す。図９に示すストローブ信号、クロック信号、送信告知信号および送信許可信号において、横軸は時間を表し、縦軸は振幅を表す。
【０１１１】
伝送システム１では、前述の図６〜図８のフローチャートに示されるように、通信の主導権は基本的に音響情報読出し装置２にある。ストローブ信号、クロック信号およびデータ信号である送信告知信号は、音響情報読出し装置２から出力される。
【０１１２】
音響情報読出し装置２と増幅装置３との間で、通信が行われてないときには、第１Ａ信号線、第１Ｂ信号線、第１Ｃ信号線および第１Ｄ信号線では、予め定める一定のレベルの定常信号が伝送されている。ここでは、前記予め定める一定の定常信号は、ハイ（Ｈ）レベルの信号であるとする。
【０１１３】
音響情報読出し装置２では、情報告知信号を送信する場合、第１Ａ信号線の信号レベルをハイ（Ｈ）からロー（Ｌ）に変化させて、ストローブ信号を送信する。これに伴って、音響読出し装置２から第１Ｂ信号線によってクロック信号を送信し、また第１Ｃ信号線によってデータ信号を送信する。ストローブ信号とクロック信号とが送信されている時間Ｔ０の前半の時間Ｔ１の範囲で前記データ信号が送信される。
【０１１４】
増幅装置３は、音響情報読出し装置２からのデータを受け入れ可能な状態であれば、音響情報読出し装置２から伝送されるクロック信号と、第１Ｃ信号線によって伝送されるデータ信号とから、このデータ信号によって送信されたデータの意味を読み取る。このデータが送信告知信号を表す場合、図３のフローチャートにしたがって、受信可能であるかを判断し、音響情報読出し装置２から伝送されるクロック信号にあわせて、前記ストローブ信号とクロック信号とが送信されている時間Ｔ０の後半の時間Ｔ２の範囲で、第１Ｃ信号線によって送信許可情報を示すデータを音響再生装置２に伝送する。音響情報読出し装置２では、信号許可信号の内容が確認できれば、第２信号線５からの音響情報信号の送信を開始する。
【０１１５】
本発明の実施の形態では、音響情報読出し装置２から増幅装置３に音響情報信号を送信する場合について示したが、音響情報読出し装置２から増幅装置３に送信されている音響情報信号の送信を停止する場合にも、第１制御手段１７と第２制御手段３６との間で同様な通信を行い、第２制御手段３６は、スピーカ６から異常音が発生しないようにミュート用出力制御素子３９と増幅側入力切替部３４とを制御する。
【０１１６】
このように伝送システム１では、音響情報読出し装置２の第１制御手段１７と増幅装置３の第２制御手段３６とが第１信号線４を介して相互承認したときのみ、音響情報読出し装置２から増幅装置３に１ビット信号の送受信が行われる。これによって、所定の機器間でのみ、１ビット信号の送受信を行うことができる。つまり、音響情報読出し装置２の１ビット信号外部出力部１８に、たとえば相互承認されない音響記録装置を接続して、１ビット信号の記録を自由に行うことができない。したがって音響情報信号を自由に記録媒体に記録することができないので、著作権が侵害されるおそれがない。
【０１１７】
また音響情報読出し装置２は、電源が異常状態である場合、第１信号線４を介して異常発生信号を送信する。増幅装置３の第２制御手段３６は、前記異常発生信号を受信すると、１ビット信号入力部３１から入力される１ビット信号が増幅側外部出力部４１から出力される前に、増幅側入力切替部３４とミュート用出力制御素子３９とを制御して、１ビット信号入力部３１と増幅側外部出力部４１とを切断する。
【０１１８】
これによって、増幅側外部出力部４１からは異常状態となった音響情報信号が出力されることが無い。したがって、不用意に電源コード２２が電源のコンセントから引き抜かれる、または電源スイッチ２３の接点が開放される場合であっても、異常音がスピーカ６から発せられることを防止することができる。したがって不所望な異常音が発せられ、伝送システム１の使用者に、驚きならびに不快感を与えるという問題を、未然に防止することができる。
【０１１９】
本発明のさらに他の実施の形態では、前記読出し側入力切替部１５による接続の選択は、第１制御部１７によって行われてもよい。
【０１２０】
また本発明のさらに他の実施の形態では、電圧検出および制御部２５によって、電源の異常状態が検出されると、この電圧検出手段および制御部２５は、異常状態を示す所定の信号を第１制御手段１７に送信する構成としてもよい。第１制御手段１７は、電源が異常状態であることを示す所定の信号を受信すると、１ビット信号出力部１６を制御して、１ビット信号の送信を遮断する。これによって、異常状態となった所定の情報信号が増幅装置３に送信されることがなく、スピーカ６から異常音が発生することを防止することができる。この場合、第１制御手段１７および１ビット信号出力部１６が信号遮断手段である。
【０１２１】
また本発明のさらに他の実施形態では、電圧検出および制御部２５によって、電源の異常状態が検出されると、この電圧検出手段および制御部２５が第１制御手段１７に異常状態を示す所定の信号を送信してもよい。第１制御手段１７は、電源が異常状態であることを示す信号を受信すると、異常発生信号を生成して制御スイッチ１９および読出し側信号入出力部２１を介して第１信号線４に送信する。この場合、制御スイッチ１９を設ける必要が無くなるので、装置がより簡略化される。
【０１２２】
本発明のさらに他の実施の形態では、ミュート用出力制御素子３９と増幅側外部出力部４１との間にフィルタを設けて、スピーカ６から出力される音波が所定の周波数帯域となるように周波数をカットしてもよい。
【０１２３】
図１０は、本発明の他の実施の形態の伝送システムにおける音響情報読出し装置の一部を示すブロック図である。本実施の形態の伝送システムは、前記実施の形態の伝送システム１と同様な構成であり、電圧検出および制御部２５に代えて、ツェナーダイオード１０１および接地抵抗１０２を用いる。このツェナーダイオード１０１および接地抵抗１０２によって電圧の検出が行われる。また、本実施の形態の制御スイッチ１９は、アンドゲートによって実現される。
【０１２４】
ツェナーダイオード１１０のアノードは、メインレギュレータ部２６の出力端と相互に接続され、カソードは、制御スイッチ１９の一方の入力端と相互に接続される。また、前記カソードは、所定の抵抗値を有する接地抵抗１０２を介して接地される。
【０１２５】
このような構成によって、ツェナーダイオード１０１のカソードの電位を降下させ、制御スイッチ１９に供給する電圧を、アンドゲートの入力しきい値近くまで下げておく。前記制御スイッチ１９に供給する電圧は、しきい値よりも予め定める値だけ大きな電圧である。電源が切断されることによって、メインレギュレータ部２４の出力電圧が下がると、前記ツェナーダイオード１０１に印加される電圧が降下する。そしてツェナーダイオード１０１に印加される電圧が、ツェナー電圧よりも小さくなると、ツェナーダイオード１０１のカソードの電位が急激に降下する。これによって、制御スイッチ１９であるアンドゲートに入力される電圧が降下し、入力電圧がハイ（Ｈ）レベルから入力しきい値よりも小さなロー（Ｌ）レベルになるので、アンドゲートの出力は、ロー（Ｌ）レベルとなる。これによって、不用意に電源が切れたときに、異常発生信号を増幅装置３に素早く送信することができる。
【０１２６】
このような構成とすることによって、またマイコンなどによって実現される電圧検出および制御部２５を省略して、装置を簡略化することができ、また単純な構成によって、伝送システム１と同様な効果を達成することができる。
【０１２７】
図１１は、本発明のさらに他の実施の形態の伝送システムにおける音響情報読出し装置の一部を示すブロック図である。本実施の形態の伝送システムは、図１に示す実施の形態の伝送システム１と同様な構成であり、図１２に示す音響情報読出し装置のツェナーダイオード１０１に代えて抵抗１０３を用いる。抵抗１０３および接地抵抗１０２によって電圧の検出が行われる。また、本実施の形態の制御スイッチ１９は、アンドゲートによって実現される。
【０１２８】
抵抗１０３の一端部は、メインレギュレータ部２６の出力端と相互に接続され、他端部は、制御スイッチ１９の一方の入力端と相互に接続される。また、前記一端部は、所定の抵抗値を有する接地抵抗１０２を介して、接地される。
【０１２９】
このような構成によって、抵抗１０３の一端部の電位を降下させ、制御スイッチ１９に供給する電圧を、アンドゲートの入力しきい値近くまで下げる。前記制御スイッチ１９に供給する電圧は、しきい値よりも予め定める値だけ大きな電圧である。電源が切断されることによって、メインレギュレータ部２４の出力電圧が下がると、前記抵抗１０３に印加される電圧が降下する。これによって、制御スイッチ１９であるアンドゲートに入力される電圧が降下し、入力電圧がハイ（Ｈ）レベルから入力しきい値よりも小さなロー（Ｌ）レベルになるので、制御スイッチ１９の出力は、ロー（Ｌ）レベルとなる。これによって、不用意に電源が切れたときに、異常発生信号を増幅装置３に素早く送信することができる。
【０１３０】
またこのような構成とすることによって、マイコンなどによって実現される電圧検出および制御部２５を省略して、装置を簡略化することができ、また単純な構成によって、伝送システム１と同様な効果を達成することができる。
【０１３１】
本発明のさらに他の実施の形態において、１ビット抽出変換部１２から１ビット信号出力部１６までの電源を強化する、つまり１ビット抽出変換部１２から１ビット信号出力部１６に電力を供給するサブレギュレータ２６に電解コンデンサなどを併設することによって、電源が切れた場合の１ビット信号およびクロック信号の減衰時間を遅延させ、さらに第１制御手段１７の制御スイッチ１９への出力ポートが電源変動によって出力される信号が早急に減衰するポートを選んで用いることによって、伝送システム１と同様な効果を達成することができる。
【０１３２】
【発明の効果】
以上のように本発明によれば、所定の機器間でのみ、情報信号の送受信を行うことができる。したがって送信告知信号を受信して送信許可信号を生成することができない装置では、第１機器から情報信号を受信することができない。つまり第１機器が情報再生装置である場合には、この情報再生装置によって再生される情報信号は、所定の機器にのみ出力されるので、たとえば情報記録装置に出力して記録されてしまうことが防止される。
【０１３３】
また送信告知信号および送信許可情報は、第１伝送媒体によって伝送され、所定の情報は、第２伝送媒体によって伝送されるので、所定の情報信号に送信告知信号および送信許可情報を起因とするノイズが含まれない。したがって、第１機器から第２機器に送信される所定の情報信号の品質が低下することを防止することができる。
【０１３４】
また本発明によれば、音響再生装置は音響情報信号を、相互認証されない音響記録装置などには出力しない。したがって、音響情報信号を音響記録装置によって記録媒体に自由に記録することができなくなる。これによって、音響情報などの著作物を不特定多数の音響記録装置によってコピーすることを防止することができ、著作権の侵害を防止することができる。
【０１３５】
たとえば音響再生装置から増幅装置に所定の情報信号が伝送されているときに、音響再生装置の電源が突然遮断されても、増幅器の外部に異常状態となった１ビット信号を出力することが防止される。したがって、たとえば増幅装置の出力部にスピーカなどを接続している場合に、前記スピーカから異常音が発せられることを防止することができる。このため不所望な異常音が発せられ、伝送システムの使用者に、驚きならびに不快感を与えるという問題を、未然に防止することができる。
【０１３６】
また本発明によれば、所定の機器間でのみ、音響情報信号の送受信を行うことができる。したがって送信告知信号を受信して送信許可信号を生成することができない装置では、第１機器から情報信号を受信することができない。つまり第１機器が情報再生装置である場合には、この情報再生装置によって再生される情報信号は、所定の機器にのみ出力されるので、たとえば情報記録装置に出力して記録されてしまうことが防止される。
【０１３７】
また送信告知信号および送信許可情報は、第１伝送媒体によって伝送され、所定の情報は、第２伝送媒体によって伝送されるので、音響情報信号に送信告知信号および送信許可情報を起因とするノイズが含まれない。したがって、第１機器から第２機器に送信される音響情報信号の品質が低下することを防止することができる。
【図面の簡単な説明】
【図１】本発明の実施の一形態である伝送システム１を示すブロック図である。
【図２】１ビット信号出力部１６から出力される１ビット信号およびクロック信号を示す波形図である。
【図３】増幅側入力切換部３４の構成の一例を示すブロック図である。
【図４】増幅側入力切替部３４の構成の他の例を示すブロック図である。
【図５】波形整形手段３５を示す図である。
【図６】音響情報読出し装置２から増幅装置３に１ビット信号を送信するときの第１制御手段１７の動作を示すフローチャートである。
【図７】電圧検出および制御部２５の動作を示すフローチャートである。
【図８】第２制御手段３６の動作を示すフローチャートである。
【図９】音響情報読出し装置２および増幅装置３が、送信告知信号および送信許可信号を送受信するときの通信フォーマットの一例を示す図である。
【図１０】本発明の他の実施の形態の伝送システムにおける音響情報読出し装置の一部を示すブロック図である。
【図１１】本発明のさらに他の実施の形態の伝送システムにおける音響情報読出し装置の一部を示すブロック図である。
【符号の説明】
１  伝送システム
２  音響情報読出し装置
３  増幅装置
４  第１信号線
５  第２信号線
１７  第１制御手段
２５  電源検出および制御部
３１  １ビット信号入力部
３６  第２制御手段
４１  外部出力部
４２  増幅側入力切替部
３９  ミュート用出力制御素子
【図１】
2004319009.tif 000003
【図２】
2004319009.tif 000004
【図３】
2004319009.tif 000005
【図４】
2004319009.tif 000006
【図５】
2004319009.tif 000007
【図６】
2004319009.tif 000008
【図７】
2004319009.tif 000009
【図８】
2004319009.tif 000010
【図９】
2004319009.tif 000011
【図１０】
2004319009.tif 000012
【図１１】
2004319009.tif 000013